(57)【要約】【課題】大型化することなく水深の分解能を高めることが可能な水深測定装置を提供する。【解決手段】検知面９ａが水Ｗに接触すると、光の透過度が変化して色が変化する検知体２により路面Ｒの水深ｄを測定する水深測定装置Ａである。支持体１により支持された検知体２が上下に移動可能に配置されている。【選択図】図１
2007240278.tif 000002
【特許請求の範囲】
【請求項１】
検知面が水に接触すると、光の透過度が変化して色が変化する検知体により路面の水深を測定する水深測定装置において、前記検知体を上下に移動可能に配置した水深測定装置。
【請求項２】
前記検知体を水深を測定する路面上に載置される支持体に上下に摺動可能に設けた請求項１に記載の水深測定装置。
【請求項３】
前記支持体は、水深を測定する路面上に載置される基部上に筒状部を立設して構成され、前記検知体を該筒状部内に該検知体の検知面である下端面を有する下端部を前記筒状部の下端から下方に突出するようにして上下に摺動可能に配設した請求項２に記載の水深測定装置。
【請求項４】
前記基部は路面に接する測定の基準面を下端面に有する棒状の脚部を具備する請求項３に記載の水深測定装置。
【請求項５】
前記検知体と筒状部の少なくとも一方に水深を測定するための目盛を設けた請求項３または４に記載の水深測定装置。
【請求項６】
前記支持体に水準器を設けた請求項２乃至５のいずれか１項に記載の水深測定装置。
【請求項７】
前記支持体の周囲に水の波紋を遮断するためのカバーを設けた請求項２乃至６のいずれか１項に記載の水深測定装置。
【請求項８】
前記検知体の上方に該検知体の色の変化を識別する識別手段を設けた請求項１乃至７のいずれか１項に記載の水深測定装置。
【発明の詳細な説明】
【技術分野】
【０００１】
本発明は、路面の水深を測定する水深測定装置に関し、更に詳しくは、水深測定時の分解能を高めることができる水深測定装置に関する。
【背景技術】
【０００２】
従来、路面上の水膜厚さ（水深）を測定する装置として、検知体の検知面が水に接触すると、光の透過度が変化して色が変化することにより水深を測定するようにした水深測定装置が提案されている（例えば、特許文献１参照）。粗面にした下端面を水深を検知する検知面に形成し、該検知面の高さを段階的に変えた複数の透明な検知体の色の変化の有無を調べることにより、水深を測定できるようにしている。
【０００３】
しかしながら、上述した水深測定装置は、段階的に検知体を設ける構成であるため、水深の分解能を高くするには多数の検知体を設ける必要があり、その結果水深測定装置が大型化するという問題があった。
【特許文献１】特開平７−１７４５０４号公報
【発明の開示】
【発明が解決しようとする課題】
【０００４】
本発明の目的は、大型化することなく水深の分解能を高めることが可能な水深測定装置を提供することにある。
【課題を解決するための手段】
【０００５】
上記目的を達成する本発明の水深測定装置は、検知面が水に接触すると、光の透過度が変化して色が変化する検知体により路面の水深を測定する水深測定装置において、前記検知体を上下に移動可能に配置したことを特徴とする。
【発明の効果】
【０００６】
上述した本発明の水深測定装置によれば、光の透過度が変化して色が変化する検知体を上下に移動可能に設けたので、検知体を上下に移動させることにより水深を、従来のような段階的ではなく、無段階で連続的に測定することが可能になる。それにより、多くの検知体を設置することなく水深測定時の分解能を高めることができ、かつ装置が大型化することがない。
【発明を実施するための最良の形態】
【０００７】
以下、本発明の実施の形態について添付の図面を参照しながら詳細に説明する。
図１，２は、本発明の水深測定装置の一実施形態を示し、この水深測定装置Ａは、水Ｗの水深ｄを測定する路面Ｒ上に載置される支持体１に検知体２を支持させた構成になっている。支持体１は、水Ｗの水深ｄを測定する路面Ｒ上に載置される基部３と、この基部３上に立設した筒状部４とから構成されている。
【０００８】
基部３は、水平に配設したリング状の円板５に周方向に沿って等間隔で３本の脚部６を螺設してある。これら３本の脚部６は棒状体から構成され、円板５から下方に延在し、その下端面６ａが路面Ｒに接する測定の基準面（０）になっている。脚部６が円板５に螺合する位置を変更することで、測定の基準面から円板５までの高さを自由に変更し、水深測定範囲を可変にしている。
【０００９】
筒状部４は、透明材料から形成され、円筒状の筒部７とこの筒部７の上端に水平方向に突設したリング状の鍔部８とから構成されている。筒部７がその上下に延在する空洞部７ａをリング状の円板５の開口５ａに開口させるようにして円板５上に立設されている。
【００１０】
支持体１に上下に移動可能に配置される検知体２は、上下に延在する円柱状の検知部９と、この検知部９上に設けた円柱状の径大部１０と、この径大部１０上に設けた円板状の鍔部１１とから一体的に構成されている。検知部９の粗面加工された下端面９ａが水深ｄを検知する検知面に形成されている。
【００１１】
検知部９は、筒部７の空洞部７ａ内に上下に摺動可能に嵌挿され、検知面（下端面９ａ）を有する下端部９Ｘを筒部７の下端から下方に突出している。検知体２（検知部９、径大部１０及び鍔部１１）は透明体から構成され、上下に摺動可能に配設した検知部９の検知面に水Ｗが接触すると、光の透過度が変化して検知体２の上端面２ｂ（鍔部１１の上面）から見た色が変化するようになっている。検知体２を構成する透明体に使用する材料としては、透明材料であればいずれのものを用いてもよく、例えば、アクリル樹脂などの樹脂材料を好ましく使用することができる。
【００１２】
図３に示すように、透明な筒部７の外周面７ｂと検知部９の外周面９ｂには、水深ｄを測定するための目盛１２が設けられている。目盛１２は、筒部７の外周面７ｂに形成した本尺目盛１２ａと、検知部９の外周面９ｂに形成したバーニヤ目盛１２ｂとからなり、本尺１ｍｍに対しバーニヤ目盛をｎ＝２０にして、０．０５ｍｍ単位で水深ｄを測定できるようにしている。
【００１３】
上記水深測定装置Ａによる水深ｄの測定は、測定者が支持体１を測定する路面Ｒ上に図１に示すように載置した後、検知体２を徐々に降下させる。検知体２の検知面（下端面）に水が接触すると、上方から見る検知体２の色が暗く変化する。この時点で検知体２の降下を停止させ、目盛１２を読み取ることで、水深ｄが得られる。
【００１４】
上述した本発明によれば、光の透過度が変化して色が変化する検知体２を上下に移動可能に配置する構成にしたので、検知体２を上下に移動させることにより水深ｄを無段階で連続的に測定することが可能になる。そのため、多くの検知体を設けることなく水深の分解能を高めることができ、かつ装置が大型化することがない。
【００１５】
図４は、本発明の水深測定装置の他の実施形態を示し、この水深測定装置Ｂは、上記水深測定装置Ａに更に水準器２０を設けたものである。支持体１の基部３の円板５を水平にした、即ち測定の基準面となる３本の脚部６の下端面６ａが路面Ｒ上に水平に載置されたかをチェックするための水準器２０が、円板５上に設けられている。これにより、測定の基準面を路面Ｒに対して常に平行に設置することが可能になる。
【００１６】
図５は、本発明の水深測定装置の更に他の実施形態を示し、この水深測定装置Ｃは、上記水深測定装置Ａに更に水の波紋を遮断するためのカバー３０を設けたものである。支持体１の周囲に位置する基部３の円板５の周縁に沿ってカバー３０が吊設され、測定する水深ｄの周囲の水面に発生した水の波紋が検知体２の検知面に接触する影響を防いで測定精度を高めるようにしている。
【００１７】
図６は、本発明の水深測定装置の更に他の実施形態を示し、この水深測定装置Ｄは、上記水深測定装置Ａに更に検知体２の色の変化を識別する識別手段４０を設けたものである。検知体２の上方に位置するように、支持体１の鍔部８から上方に突設した枠体４１に識別手段４０を取り付けている。識別手段４０は、検知体２の画像を読み取るフォトセンサ（不図示）と、このフォトセンサから入力された画像信号から、検知面が水と接触して検知体１の色が変化したか否かを判定する演算を行う演算ユニット（不図示）と、演算ユニットにより色が変化したと判定した時に点灯などを行う表示ユニットを備えている。このように識別手段４０を設けることにより、測定者による読み誤りや読み取り誤差をなくして、測定精度を高めることができる。
【００１８】
当然のことながら、図４〜６の水深測定装置Ｂ，Ｃ，Ｄの構成（水準器２０、カバー３０、識別手段４０）をそれぞれ組み合わせるようにしてもよい。
【００１９】
本発明において、脚部６の本数は上記実施形態では３本を例示したが、それに限定されず、１本（自立させない場合）あるいは２本以上の複数本であってもよい。好ましくは、３本にするのが路面Ｒに載置した水深測定装置が安定して路面Ｒ上に自立するのでよい。また、脚部６の形状は棒状に限定されず、測定の基準面を有することができればいずれの形状、例えば板状などであってもよい。
【００２０】
支持体１の筒部７は、上述した円筒状に代えて断面三角形状や四角形状などの筒体から構成してもよい。それに合わせて、筒部７に摺動可能に嵌合する検知部９も同様の形状にすることができる。
【００２１】
上述した水深測定装置Ａ〜Ｄは、測定者が検知体２をその鍔部１１を把持して筒部７内を上下に摺動させるが、筒状部４と検知体２との間にラック・ピニオン機構を設けて上下に移動可能に構成してもよい。
【００２２】
目盛１２は、高い測定分解能を得ることができるため、図３に示すものが好ましく用いることができるが、それに限定されず、筒部７の外周面７ｂと検知部９の外周面９ｂのいずれか一方に、水深ｄを測定するための目盛（上記本尺目盛に該当）を設け、他方に検知体２の路面からの位置を示す指示線を配設し、この指示線が指す目盛の数字を読み取ることで、水深ｄを測定できるようにしてもよく、検知体２と筒部７の少なくとも一方に水深を測定するための目盛を設けたものであればよい。また、目盛１２を設けずに、変色した検知体２の位置をスケールなどの測定具により測るようにしてもよい。
【００２３】
また、上記実施形態では、検知体２を、検知面が水に接触すると、光の透過度が容易に変化する透明体から構成するようにしたが、検知面が水に接触すると、光の透過度が変化して色が変化するものであればよく、透明体に特に限定されない。
【図面の簡単な説明】
【００２４】
【図１】本発明の水深測定装置の一実施形態を示す正面図である。
【図２】図１のＹ−Ｙ矢視断面図である。
【図３】目盛の部分を示す要部拡大図である。
【図４】本発明の水深測定装置の他の実施形態を示す正面図である。
【図５】本発明の水深測定装置の更に他の実施形態を示す正面図である。
【図６】本発明の水深測定装置の更に他の実施形態を示す正面図である。
【符号の説明】
【００２５】
１  支持体
２  検知体
３  基部
４  筒状体
９  検知部
９ａ  下端面（検知面）
９Ｘ  下端部
１２  目盛
２０  水準器
３０  カバー
４０  識別手段
Ａ，Ｂ，Ｃ，Ｄ  水深測定装置
Ｒ  路面
Ｗ  水
ｄ  水深
【図１】
2007240278.tif 000003
【図２】
2007240278.tif 000004
【図３】
2007240278.tif 000005
【図４】
2007240278.tif 000006
【図５】
2007240278.tif 000007
【図６】
2007240278.tif 000008